(57)【要約】【課題】コアの位置設定装置において、位置設定軸に装着するコア当接リングの±０．５ｍｍを上回る高精度の位置設定を簡単に行う。【解決手段】位置設定軸１５の上面部に１ｍｍの目盛単位のスケール１６を取り付けるとともに、両側部に、２ｍｍピッチでかつ相互に半ピッチずれたラック歯２１を有するラックバー２０を固定する一方、コア当接リング２５を、リング本体の２７の一端部の調整ねじリング部２８に、外端面をコア当接端面とする調整ナットリング２９を、１／１０回転で０．１ｍｍずつ軸方向に移動可能にねじ係合して構成し、リング本体２７に、ラックバー２０のラック歯２１と係合して、コア当接リング２５の移動を阻止可能な２ｍｍピッチのラック歯３３を有するラックブロック３２を、常に重力によりラック歯３３がラック歯２１と係合しない位置を取るように枢支する。【選択図】        図２
2004189352.tif 000002
【特許請求の範囲】
【請求項１】
複数のコアを装着する巻取り軸に平行にのびるとともに該巻取り軸に接離可能な位置設定軸に、一端面をコア当接端面とする軸固定ねじ付きコア当接リングを複数軸方向に移動可能に装着してなるコア位置設定装置であって、位置設定軸に軸方向の実質部にわたって、視認可能な単位目盛のスケールを設けるとともに、位置設定軸の一側部又は両側部に軸方向の実質部にわたって、下端縁にスケールの単位目盛と同一のピッチのラック歯を有するラックバーを、又はスケールの単位目盛の２倍のピッチでかつ相互に半ピッチずれたラック歯を有する一対のラックバーを取り付ける一方、各コア当接リングを、一端部に調整ねじリング部を有するリング本体の調整ねじリング部に、外端面をコア当接端面とする調整ナットリンクを、１回転でスケールの単位目盛量軸方向に移動可能にねじ係合して構成するとともに、リング本体の一端部と調整ナットリングを、ばね付勢型ロックボールを介して、調整ナットリングを複数の等間隔の回転角度位置においてロック可能に係合し、さらにリング本体に、上端縁部に位置設定軸の一側部又は両側部に取り付けたラックバーと同等のピッチのラック歯部を有するラックブロックを、ラックバーとラック歯相互が係合して、コア当接リングを、リング本体の調整ねじリング部の基点に位置する調整ナットリングのコア当接端面がスケールの単位目盛に整合する状態で、軸方向に移動不能にロックするリングロック位置と、ラック歯相互が係合しないリングアンロック位置との間を、上下に移動可能にかつ常に重力を介してアンロック位置を占めるように取り付けてなる、コアの位置設定装置。
【発明の詳細な説明】
【０００１】
【発明の属する技術分野】
この発明は、スリッターにおいて幅方向に細断したプラスチックフィルム、紙、アルミ箔などの複数のシート条を振り分けて、２以上の巻取り軸（各個フリクション軸、エアシャフトなど）のそれぞれに装着した複数のコア（巻心）に巻き取る際に、各コアを巻取り軸上の所定の適正な位置に位置決めするために用いるコアの位置設定装置に関するものである。
【０００２】
【従来の技術】
この種のコアの位置設定装置としては、複数のコアを装着する巻取り軸に平行にのびるとともに該巻取り軸に接離可能な位置設定軸に、一端面をコア当接端面（位置設定端面）とする軸固定ねじ付きコア当接リングを複数軸方向に移動可能に装着したものが知られている（例えば、特許文献１参照）。
【０００３】
【特許文献１】特開平１１−５９９８４号公報
【０００４】
【発明が解決しようとする課題】
この公知のコアの位置設定装置は、位置設定軸を巻取り軸から離隔した位置（待機位置）で、各コア当接リングを、そのコア当接端面が単位目盛（最小目盛）が１ｍｍのスケール類により確認する位置設定軸上の所定の設定位置に整合するまで軸方向に移動して、軸固定ねじにより移動不能に固定した後、位置設定軸、従ってコア当接リングを巻取り軸に接近させ、この状態で各コアの位置決め用端面を対応する各コア当接リングのコア当接端面に当接させて、各コアの位置決めを行うものであるが、コア当接リングのコア当接端面の位置設定軸上における所定の設定位置との整合は、視認であるため、±０．５ｍｍ程度までの精度の位置の設定しかできない状況にある。
【０００５】
【発明が解決しようとする課題】
従ってこれを上回る例えば±０．１ｍｍのようなより高精度の位置の設定を行う場合には、一旦上記のような操作で位置決めしたコアにシート条を試し巻取りし、この試し巻取り位置に合わせてコア当接リングの位置設定軸上の位置を設定し直すという極めて面倒な操作を行っている。
【０００６】
また上記のコアの位置設定装置では、設定位置まで移動したコア当接リングを軸固定ねじにより位置設定軸に固定する際に、微動による設定位置からのずれを防止するために、コア当接リングをしっかりと保持することも必要である。
【０００７】
この発明は、上記の公知の装置におけるコア当接リングの高精度の位置設定上必要な面倒で厄介な操作の点に鑑み、コア当接リングの±０．５ｍｍを上回る高精度の位置設定を、より簡単に行うことができるようにすることを主要な課題としている。
【０００８】
【課題を解決するための手段】
この発明によれば、上記の課題は、複数のコアを装着する巻取り軸に平行にのびるとともに該巻取り軸に接離可能な位置設定軸に、一端面をコア当接端面とする軸固定ねじ付きコア当接リングを複数軸方向に移動可能に装着してなるコア位置設定装置において、位置設定軸に軸方向の実質部にわたって、視認（確認）可能な単位目盛（最小目盛）のスケールを設けるとともに、位置設定軸の一側部又は両側部に軸方向の実質部にわたって、下端縁にスケールの単位目盛と同一のピッチのラック歯を有するラックバーを、又はスケールの単位目盛の２倍のピッチでかつ相互に半ピッチずれたラック歯を有する一対のラックバーを取り付ける一方、各コア当接リングを、一端部に調整ねじリング部を有するリング本体の調整ねじリング部に、外端面をコア当接端面とする調整ナットリンクを、１回転でスケールの単位目盛量軸方向に移動可能にねじ係合して構成するとともに、リング本体の一端部と調整ナットリングを、ばね付勢型ロックボールを介して、調整ナットリングを複数の等間隔の回転角度位置においてロック可能に係合し、さらにリング本体に、上端縁部に位置設定軸の一側部又は両側部に取り付けたラックバーと同等のピッチのラック歯部を有するラックブロックを、ラックバーとラック歯相互が係合して、コア当接リングを、リング本体の調整ねじリング部の基点（原点）に位置する調整ナットリングのコア当接端面がスケールの単位目盛に整合する状態で、軸方向に移動不能にロックするリングロック位置と、ラック歯相互が係合しないリングアンロック位置との間を、上下に移動可能にかつ常に重力を介してアンロック位置を占めるように取り付けることによって解決する。
【０００９】
上記において、スケールの単位目盛は、一般には、１ｍｍとすることができる。従ってラックバーのラック歯のピッチは、位置設定軸の一側部に取り付ける場合には１ｍｍ、位置設定軸の両側部に取り付ける場合には２ｍｍとすることができる。
【００１０】
また調整ナットリングのロックボールを介したロックの角度間隔は、スケールの単位目盛を１ｍｍとする場合には、１／１０の回転角度の３６°とすることができ、これによりコア当接端面が、１／１０（３６°）回転する毎に、リング本体の調整ねじリング部上における基点から０．１ｍｍずつ軸方向に移動するようにすることができる。
【００１１】
この発明のコアの位置設定装置により位置の設定を行う際には、一般には、まず、調整ナットリングをリング本体の調整ねじリング部の基点に位置させた状態で、コア当接リングを位置設定軸に沿って移動して、そのコア当接端面が所定の設定位置に隣接するスケールの目盛位置に整合する状態にした後、アンロック位置にあるラックブロック（一対の場合には選択した一方のラックブロック）を、ロック位置まで上動し、ラックブロックとラックバーの対応するラック歯を係合して、調整ナットリングのコア当接端面が設定位置に隣接するスケールの目盛に整合する状態で、コア当接リングの軸方向の移動を拘束し、この状態で、軸固定ねじを操作して、コア当接リングを位置設定軸に固定する。
【００１２】
次いで調整ナットリングを所定のロック角度位置までリング本体の調整ねじリンク部の周りに回転して、コア当接端面を軸方向にスケールの単位目盛未満の調整量移動して、コア当接リングの位置の設定を完了する。
【００１３】
【発明の実施の形態】
以下図面に基づいて、この発明に係るコア位置設定装置の一実施形態を説明する。
【００１４】
図示した実施形態においては、位置設定軸１５は、エアシリンダ１４を介して揺動可能な左右一対の揺動アーム１３の先端部に、コア１１を装着する水平な巻取り軸１２と平行にのびる状態で支持してあり、上面部と下面部のそれぞれに、その実質部にわたってのびる１ｍｍの目盛単位のスケール１６（原点は図２において左端にある）と、軸固定ねじ２０係合用の溝１７を備えている。
【００１５】
また位置設定軸１５は、両側部の中央部から下の部分に、その実質部にわたってのびる垂直側壁１９付きの切り欠き１８を有しており、両側の垂直側壁１９の上部には、下端縁に２ｍｍピッチでかつ相互に半ピッチ（１ｍｍ）ずれたラック歯２１を有するラックバー２０が固定してある。
【００１６】
他方軸固定ねじ２６付きのコア当接リング２５は、位置設定軸１５に、リング本体２７の調整ネジリング部２８、すなわち調整ナットリング２９がスケール１６の反原点側に位置する状態で、軸方向にスライド可能に装着してある。
【００１７】
リング本体２７は、両側部の略下半部に、位置設定軸１５の切り欠き１８に連通するとともに垂直側壁１９に整合する垂直側壁３１を有する切り欠き３０を備えており、この各切り欠き３０内に、高低二段の踏み台形でかつ高部側の上端縁部に２ｍｍピッチのラック歯３３を有するラックブロック３２が、高部側がスケール１６の原点側に、低部側が反原点側に位置する状態で、水平なロック位置から高部側が下がって傾斜するアンロック位置まで揺動（傾動）可能に取り付けてある。
【００１８】
このラックブロック３２は、スケール１６の反原点側に位置する低部側が、リンク本体２７の切り欠き３０の垂直側壁３１に固定した枢支ピン３４を介して枢着してある一方、高部側の下部に、内端（先端）部が切り欠き３０の垂直側壁３１に形成したばか穴３６に遊合する持上げ操作ピン３５が固定してあり、これにより常時は重力により、持上げ操作ピン３５の内端部がばか穴３６の下側の内面に当接して、上端縁部のラック歯３３がラックバー２０のラック歯２１から離れるアンロック位置を占める一方、持上げ操作ピン３５を介した持上げにより、上端縁部のラック歯３３がラックバー２０のラック歯２１に係合する水平なロック位置にすることができるようになっている。
【００１９】
コア当接リング２５は、このように一方又は他方のラックブロック３２がロック位置を取る際には、リング本体２７の調整ねじリング部２８上の基点に位置する調整ナットリング２９のコア当接端面が、スケール１６の単位目盛のうち、奇数目盛又は偶数目盛と整合するように形成してある。
【００２０】
またリング本体２７の調整ねじリング部２８と調整ナットリング２９は、後者が１回転で１ｍｍ前者に対して軸方向に移動可能なねじピッチを有している。
【００２１】
さらにリング本体２７の調整ねじリング部２８の基部に隣接する調整ナットリング２９の内端面対向部には、端面から突出するばね３８付勢型ロックボール３７が内装してあるとともに、これに対向する調整ナットリング２９の内端面には、調整ナットリング２９が調整ねじリング部２８上の基点を占める時にロックボール３７が対向する基準位置及び該基準位置から軸周りに３６°の等間隔をおいた位置に、ロックボール３７が係合可能な１０個のロック凹部３９が形成してあり、かつ各ロック凹部３９形成部に対応する調整ナットリング２９の内端部の外周には、基準位置から順次０〜９（図示せず）の目盛線４０が付けてあるとともに、調整ナットリング２９が基点位置にあるときに、０の基準位置の目盛線４０が対向するリング本体２７の外周部には、基準線４１が付けてある。
【００２２】
図示の形態は上記のような構造で、これによりコア１１の位置の設定を行う際には、まず、調整ナットリング２９の０の目盛線４０がリング本体２７の基準線４１に整合する調整ナットリング２９の基点位置状態において、コア当接リング２５を位置設定軸１５に沿ってスライドして、そのコア当接端面がほぼ所定の設定位置直前のスケール１６の奇数又は偶数の目盛位置に整合する状態にする。
【００２３】
次いでアンロック位置にある一方又は他方のラックブロック３２を、持上げ操作ピン３５を介して、ロック位置まで持上げ、そのラック歯３３と対応するラックバー２０のラック歯２１を相互に係合させて、調整ナットリング２９のコア当接端面がスケール１６の奇数目盛又は偶数目盛に整合する状態で、コア当接リング２５の軸方向の移動を拘束し、この状態で、軸固定ねじ２６を操作して、コア当接リング２５を位置設定軸１５に固定する。この状態で持上げ操作ピン３５は解放して、ラックブロック３２を重力のままにアンロック位置まで傾動させる。
【００２４】
この後調整ナットリング２９を所定の目盛線４０がリンク本体２７の基準線４１に整合するまで軸周りに回転して、コア当接端面を１ｍｍ未満の所定量軸方向に移動して、コア当接リング２５の位置の設定を終える。
【００２５】
この発明のコア位置設定装置は、このほか、コア当接リングにおける調整ナットリングの位置をスケールの原点側にしたり、リング本体に対してロックブロックの全体を上下にスライド可能に取り付けるするなど、種々の形態で実施することができるもので、上記の形態に限定されるものでない。
【００２６】
【発明の効果】
以上説明したように、この発明に係るコア位置設定装置によれば、コア当接リングの例えば±０．１ｍｍのような高精度の位置の設定を、位置設定軸に沿う移動操作、ラックブロックの持上げと軸固定ねじの締め付け操作及び調整ナットリングの回動操作の簡単な操作で行うことができる。
【図面の簡単な説明】
【図１】この発明に係るコアの位置設定装置の実施形態の巻取り軸に対する接離構成を示す略側面図である。
【図２】コアの位置設定装置の一部の拡大正面図である。
【図３】図２のコア当接リングを含む部分の横断面図である。
【図４】図２のコア当接リングを含む部分の平面図である。
【図５】図２のコア当接リングの一部を切り欠いた正面図である。
【符号の説明】
１１  コア
１２  巻取り軸
１３  揺動アーム
１４  エアシリンダ
１５  位置設定軸
１６  スケール
１７  溝
１８  切り欠き
１９  垂直側壁
２０  ラックバー
２１  ラック歯
２５  コア当接リング
２６  軸固定ねじ
２７  リング本体
２８  調整ねじリング部
２９  調整ナットリング
３０  切り欠き
３１  垂直側壁
３２  ラックブロック
３３  ラック歯
３４  枢支ピン
３５  持上げ操作ピン
３６  ばな穴
３７  ロックボール
３８  ばね
３９  ロック凹部
４０  目盛
４１  目盛線
【図１】
2004189352.tif 000003
【図２】
2004189352.tif 000004
【図３】
2004189352.tif 000005
【図４】
2004189352.tif 000006
【図５】
2004189352.tif 000007